(57)【要約】【課題】簡単操作でチャンネルスキップの設定が可能な放送受信装置を提供すること。【解決手段】放送受信装置は、アナログ放送及びデジタル放送を受信する受信手段と、前記アナログ放送及び前記デジタル放送により提供される同一内容のアナログチャンネルとデジタルチャンネルを検出する検出手段と、前記検出手段により検出された前記アナログチャンネルに対してスキップを設定する設定手段と、前記アナログ放送及び前記デジタル放送により提供される複数のアナログチャンネル及び複数のデジタルチャンネルを第１のリスト画面で表示するための第１の表示情報を出力し、また、前記スキップの設定に対応して、前記第１のリスト画面を、前記アナログチャンネルに対してスキップが設定されたことを示す第１のスキップ情報を含む第２のリスト画面へ更新するための第２の表示情報を出力する表示情報出力手段と、を備える。【選択図】図９
2011035838.tif 000002
【特許請求の範囲】
【請求項１】
アナログ放送及びデジタル放送を受信する受信手段と、
前記アナログ放送及び前記デジタル放送により提供される同一内容のアナログチャンネルとデジタルチャンネルを検出する検出手段と、
前記検出手段により検出された前記アナログチャンネルに対してスキップを設定する設定手段と、
前記アナログ放送及び前記デジタル放送により提供される複数のアナログチャンネル及び複数のデジタルチャンネルを第１のリスト画面で表示するための第１の表示情報を出力し、また、前記スキップの設定に対応して、前記第１のリスト画面を、前記アナログチャンネルに対してスキップが設定されたことを示す第１のスキップ情報を含む第２のリスト画面へ更新するための第２の表示情報を出力する表示情報出力手段と、
を備えた放送受信装置。
【請求項２】
前記検出手段は、同一放送局からのメインデジタルチャンネル及びサブデジタルチャンネルを検出し、
前記設定手段は、前記検出手段により検出された前記サブデジタルチャンネルに対してスキップを設定し、
前記表示情報出力手段は、前記スキップの設定に対応して、前記第１のリスト画面を、前記アナログチャンネルに対してスキップが設定されたことを示す第１のスキップ情報と前記サブデジタルチャンネルに対してスキップが設定されたことを示す第２のスキップ情報とを含む第３のリスト画面へ更新するための第３の表示情報を出力する、
ことを特徴とする請求項１に記載の放送受信装置。
【請求項３】
前記スキップの未設定時のチャンネル変更操作に対応して、前記アナログ放送及び前記デジタル放送により提供される複数のアナログチャンネル及び複数のデジタルチャンネルを順に変更し、前記スキップの設定時のチャンネル変更操作に対応して、前記スキップが設定された前記アナログチャンネルをスキップして、前記アナログ放送及び前記デジタル放送により提供される複数のアナログチャンネル及び複数のデジタルチャンネルを順に変更するチャンネル変更手段を備えた請求項１に記載の放送受信装置。
【請求項４】
前記設定手段は、スキップボタンの操作に対応して、前記スキップを設定することを特徴とする請求項１に記載の放送受信装置。
【請求項５】
前記出力手段は、スキップボタンの操作に対応して、スキップ設定確認情報を表示するためのスキップ設定確認表示情報を出力し、
前記設定手段は、前記スキップ設定確認情報に含まれるスキップ設定指示の選択操作に対応して前記スキップを設定する、
ことを特徴とする請求項１に記載の放送受信装置。
【請求項６】
アナログ放送及びデジタル放送により提供される複数のアナログチャンネル及び複数のデジタルチャンネルを第１のリスト画面で表示するための第１の表示情報を出力し、
スキップ設定操作に基づき、前記アナログ放送及び前記デジタル放送により提供される同一内容のアナログチャンネルとデジタルチャンネルのうちの前記アナログチャンネルに対してスキップを設定し、
前記第１のリスト画面を、前記アナログチャンネルに対してスキップが設定されたことを示す第１のスキップ情報を含む第２のリスト画面へ更新するための第２の表示情報を出力する、
ことを特徴とするチャンネルスキップ設定方法。
【発明の詳細な説明】
【技術分野】
【０００１】
本発明は、アナログ放送及びデジタル放送の両放送を受信可能な放送受信装置に関する。
【背景技術】
【０００２】
近年のデジタル放送の普及に伴い、アナログ放送及びデジタル放送の両放送を受信可能な放送受信装置が登場している。このような放送受信装置の中には、アナログ放送とデジタル放送とを切り換えて受信可能な装置と、アナログ放送とデジタル放送とを切り換えることなく受信可能な装置がある。例えば、放送局Ａがデジタル放送とアナログ放送で同じ内容を放送しているのに対して、放送局Ｂがアナログ放送だけを放送しているとする。このような環境下では、後者の装置が便利である。なお、上記したような、デジタル放送とアナログ放送とで同じ内容を放送している状態をサイマルキャストと呼ぶ。
【０００３】
しかしながら、アナログ放送とデジタル放送とを切り換えることなく受信可能な装置は、上記した環境下では、チャンネル選局操作に対応して、放送局Ａのデジタル放送を選択した後に、放送局Ａのアナログ放送が選択されてしまうことがある。上記したように、放送局Ａのデジタル放送と放送局Ａのアナログ放送とは同じ内容の放送であるため、上記したようなチャンネル選択は使い勝手が悪い。
【０００４】
そこで、同一のソースＩＤを有する複数チャンネルのうち、デジタル変調方式のチャンネルを有効として、アナログ変調方式のチャンネルを削除状態にする技術が開示されている（特許文献１参照）。
【先行技術文献】
【特許文献】
【０００５】
【特許文献１】特開２００８−３１１７５６
【発明の概要】
【発明が解決しようとする課題】
【０００６】
上記した技術により、チャンネル選局操作に対応して、放送局Ａのデジタル放送を選択した後に、放送局Ａのアナログ放送が選択されてしまうのを防止することができる。つまり、放送局Ａのアナログ放送をスキップすることができる。
【０００７】
しかしながら、上記した技術は、削除（スキップ）しようとするチャンネルを一つずつ選択しなければならず、不便である。
【０００８】
本発明の目的は、簡単操作でチャンネルスキップの設定が可能な放送受信装置及びチャンネルスキップ設定方法を提供することにある。
【課題を解決するための手段】
【０００９】
本発明の一実施形態に係る放送受信装置は、アナログ放送及びデジタル放送を受信する受信手段と、前記アナログ放送及び前記デジタル放送により提供される同一内容のアナログチャンネルとデジタルチャンネルを検出する検出手段と、前記検出手段により検出された前記アナログチャンネルに対してスキップを設定する設定手段と、前記アナログ放送及び前記デジタル放送により提供される複数のアナログチャンネル及び複数のデジタルチャンネルを第１のリスト画面で表示するための第１の表示情報を出力し、また、前記スキップの設定に対応して、前記第１のリスト画面を、前記アナログチャンネルに対してスキップが設定されたことを示す第１のスキップ情報を含む第２のリスト画面へ更新するための第２の表示情報を出力する表示情報出力手段と、を備える。
【００１０】
本発明の一実施形態に係るチャンネルスキップ設定方法は、アナログ放送及びデジタル放送により提供される複数のアナログチャンネル及び複数のデジタルチャンネルを第１のリスト画面で表示するための第１の表示情報を出力し、スキップ設定操作に基づき、前記アナログ放送及び前記デジタル放送により提供される同一内容のアナログチャンネルとデジタルチャンネルのうちの前記アナログチャンネルに対してスキップを設定し、前記第１のリスト画面を、前記アナログチャンネルに対してスキップが設定されたことを示す第１のスキップ情報を含む第２のリスト画面へ更新するための第２の表示情報を出力する。
【発明の効果】
【００１１】
本発明によれば、簡単操作でチャンネルスキップの設定が可能な放送受信装置及びチャンネルスキップ設定方法を提供できる。
【図面の簡単な説明】
【００１２】
【図１】チャンネルリスト画面（スキップ設定前）の一例を示す図である。
【図２】チャンネルリスト画面（スキップ設定後）の一例を示す図である。
【図３】リモートコントローラの一例を示す図である。
【図４】チャンネルスキャン開始同意画面の一例を示す図である。
【図５】チャンネルスキャン実行中画面の一例を示す図である。
【図６】スキップ設定同意画面の一例を示す図である。
【図７】本発明の一実施形態に係るデジタルテレビジョン放送受信装置の概略構成を示す図である。
【図８】第１のチャンネルリスト画面（スキップ設定前）の一例を示す図である。
【図９】第２のチャンネルリスト画面（スキップ設定後）の一例を示す図である。
【図１０】第３のチャンネルリスト画面（スキップ設定後）の一例を示す図である。
【発明を実施するための形態】
【００１３】
以下、図面を参照し、本発明の実施形態について説明する。
【００１４】
図７は、本発明の一実施形態に係るデジタルテレビジョン放送受信装置の概略構成を示す図である。
【００１５】
図７は、上記したデジタルテレビジョン放送受信装置１１の主要な信号処理系を示している。
【００１６】
すなわち、地上波放送受信用のアンテナ５２で受信した地上デジタルテレビジョン放送信号は、入力端子５３を介して地上デジタル放送用／地上アナログ放送用のチューナ５４に供給され、チューナ５４の地上デジタル放送用信号処理部で、所望のチャンネルのデジタル放送信号が選局される。そして、このチューナ５４で選局されたデジタル放送信号は、ＯＦＤＭ（orthogonal frequency division multiplexing）復調モジュール５５に供給されて、デジタルの映像信号及び音声信号に復調された後、上記信号処理モジュール５１に出力される。
【００１７】
また、上記地上波放送受信用のアンテナ５２で受信した地上アナログテレビジョン放送信号は、入力端子５３を介してチューナ５４に供給され、チューナ５４の地上アナログ放送用信号処理部で、所望のチャンネルのアナログ放送信号が選局される。そして、このチューナ５４で選局されたアナログ放送信号は、アナログ復調モジュール５７に供給されてアナログの映像信号及び音声信号に復調された後、上記信号処理モジュール５１に出力される。
【００１８】
また、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１９】
そして、このチューナ４９で選局された放送信号は、ＰＳＫ（phase shift keying）復調モジュール５０に供給されて、デジタルの映像信号及び音声信号に復調された後、信号処理モジュール５１に出力される。
【００２０】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００２１】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００２２】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２３】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００２４】
そして、グラフィック処理モジュール５８から出力されたデジタルの映像信号は、映像処理モジュール６２に供給される。映像処理モジュール６２により処理された映像信号は、映像表示器１４に供給され、また出力端子６３にも供給される。映像表示器１４は、映像信号に基づく映像を表示し、出力端子６３に対して外部機器が接続されると、出力端子６３に供給された映像信号は、外部機器へ入力される。
【００２５】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００２６】
ここで、このデジタルテレビジョン放送受信装置１１は、上記した各種の受信動作を含むその全ての動作を制御モジュール６５によって統括的に制御されている。この制御モジュール６５は、ＣＰＵ（central processing unit）等を内蔵しており、前記操作モジュール１６からの操作情報、または、前記リモートコントローラ１７から送出され受光モジュール１８を介して受信した操作情報を受けて、その操作内容が反映されるように各モジュールをそれぞれ制御している。
【００２７】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００２８】
また、この制御モジュール６５は、カードＩ／Ｆ（interface）６９を介して、第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００２９】
また、この制御モジュール６５は、カードＩ／Ｆ（interface）７１を介して、第２のメモリカード２０が装着可能なカードホルダ７２に接続されている。これによって、制御モジュール６５は、カードホルダ７２に装着された第２のメモリカード２０と、カードＩ／Ｆ７１を介して情報伝送を行なうことができる。
【００３０】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応機器と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応機器にＩＰ（internet protocol）アドレスを割り当てて制御している。
【００３１】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続されたＨＤＭＩ対応機器と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続されたＨＤＭＩ対応機器と、第２のＨＤＭＩ Ｉ／Ｆ７５を介して情報伝送を行なうことができる。
【００３２】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。
【００３３】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続されたｉ．ＬＩＮＫ対応機器と、ｉ．ＬＩＮＫ Ｉ／Ｆ７７を介して情報伝送を行なうことができる。
【００３４】
次に、上記したデジタルテレビジョン放送受信装置１１によるチャンネルスキップ設定について説明する。
【００３５】
例えば、１つの放送局でデジタル放送とアナログ放送の両放送が運用されている場合、デジタル放送とアナログ放送の内容が同じ（サイマルキャスト）であり、この場合、デジタル放送のチャンネル番号と、アナログ放送のチャンネル番号は、同じチャンネル番号に設定される。
【００３６】
なお、デジタルテレビジョン放送受信装置１１の不揮発性メモリ６８は、チャンネルマップ情報を記憶し、チャンネルマップ情報は、全てのアナログ放送のチャンネル番号と全てのデジタル放送のチャンネル番号を含み、且つアナログ放送のチャンネル番号Ｎとデジタル放送のチャンネル番号Ｎ（又はＮ．Ｍ）とが対応していることを示す情報を含む。言い換えれば、チャンネルマップ情報により、アナログ放送及びデジタル放送により提供される同一内容のチャンネル番号（アナログ）とチャンネル番号（デジタル）とが対応付けられている。
【００３７】
制御モジュール６５は、このチャンネルマップ情報に基づき、一つの放送局により（アナログ放送とデジタル放送により）提供される同一内容のアナログチャンネルとデジタルチャンネルを検出することができる。また、制御モジュール６５は、このチャンネルマップ情報に基づき、一つの放送局により提供されるメインデジタルチャンネルとサブデジタルチャンネルを検出することもできる。また、ＯＳＤ信号生成モジュール６１は、チャンネルマップ情報に基づき、後述するチャンネルリスト画面を表示するための表示情報を生成し、出力することができる。
【００３８】
なお、デジタル放送のチャンネル番号は、実際の物理チャンネルを示すものではなく、デジタル放送のサービス情報により提供されるＩＤである。つまり、デジタル放送のチャンネル番号は、映像、音声データと同時に送信される情報である。一方のアナログ放送のチャンネル番号は、物理チャンネルである。
【００３９】
図１は、チャンネルリスト画面の一例を示す図である。チャンネルリスト画面は、ＯＳＤ信号生成モジュール６１により生成される画面である。図１に示すチャンネルリスト画面は、チャンネル番号１（アナログ）、３（アナログ）、３（デジタル）、５（デジタル）、６（デジタル）、８（アナログ）、９（アナログ）を含む。また、３（デジタル）には放送局名としてチャンネルＢが対応付けられ、５（デジタル）には放送局名としてチャンネルＣが対応付けられ、６（デジタル）には放送局名としてチャンネルＤが対応付けられている。さらに、チャンネル番号３（アナログ）と、チャンネル番号３（デジタル）との関係はサイマルキャストである。デジタルテレビジョン放送受信装置１１は、デジタル放送に含まれたデジタルデータから放送局名を検出することができる。
【００４０】
例えば、ユーザがリモートコントローラ１７を介して選局操作（チャンネルアップ／チャンネルダウン）を実行すると、チャンネル番号１（アナログ）、３（アナログ）、３（デジタル）、５（デジタル）、６（デジタル）、８（アナログ）、９（アナログ）が順に選局されたり、又はチャンネル番号９（アナログ）、８（アナログ）、６（デジタル）、５（デジタル）、３（デジタル）、３（アナログ）、１（アナログ）が順に選局されたりする。つまり、同じ放送内容のチャンネル番号３（アナログ）と、チャンネル番号３（デジタル）が２回選択されてしまい、ユーザは煩わしさを感じる。
【００４１】
また、別の例として、図８は、第１のチャンネルリスト画面の一例を示す図である。図８では、チャンネル番号５のアナログ放送（ＴＶ放送Ａ１）とチャンネル番号５．１のデジタル放送（ＴＶ放送Ａ１）とがサイマルキャストになっており、チャンネル番号１２のアナログ放送（ＴＶ放送Ｃ１）とチャンネル番号１２．１のデジタル放送（ＴＶ放送Ｃ１）とがサイマルキャストになっていることが示されている。この例では、チャンネル番号５とチャンネル番号５．１とを同じチャンネル番号と考え、同様に、チャンネル番号１２とチャンネル番号１２．１とを同じチャンネル番号と考える。
【００４２】
例えば、ユーザがリモートコントローラ１７を介して選局操作（チャンネルアップ／チャンネルダウン）を実行すると、同じ放送内容のチャンネル番号５（アナログ）と、チャンネル番号５．１（デジタル）が２回選択されてしまい、さらに、同じ放送内容のチャンネル番号１２（アナログ）と、チャンネル番号１２．１（デジタル）が２回選択されてしまい、ユーザは煩わしさを感じる。
【００４３】
このような煩わしさを簡単に解決するために、上記したデジタルテレビジョン放送受信装置１１は、チャンネルスキップを設定することができる。図３は、デジタルテレビジョン放送受信装置１１をリモートコントロールするリモートコントローラ１７の一例を示す図である。図３に示すように、リモートコントローラ１７は、パワーキー１７ａ、チャンネル選局キー１７ｂ、チャンネルアップ／ダウンキー１７ｃ、音量アップ／ダウンキー１７ｄ、音声ミュートキー１７ｅ、方向指定キー１７ｆ、決定キー１７ｇ、スキップキー１７ｈなどを備えている。
【００４４】
上記したスキップキー１７ｈの選択により、チャンネルスキップを設定することができる。制御モジュール６５は、スキップキー１７ｈの選択に基づき、例えば、図１に示すチャンネルリスト画面の表示を制御し、ＯＳＤ信号生成モジュール６１が、上記したチャンネルマップ等に基づき、このチャンネルリスト画面を表示するための第１の表示情報を生成し出力する。これにより、映像表示器１４には、チャンネルリスト画面が表示される。なお、本実施形態では、スキップキー１７ｈの選択によりチャンネルリスト画面が表示されるケースについて説明するが、リモートコントローラ１７がメニューキー又はチャンネルリスト表示キーを備え、メニューキー又はチャンネルリスト表示キーの選択によりチャンネルリスト画面を表示するようにしてもよい。
【００４５】
図１に示すチャンネルリスト画面が表示された状態で、スキップキー１７ｈが選択されると、制御モジュール６５は、第１のスキップ処理を実行する。第１のスキップ処理により、デジタルチャンネルと同じ内容のアナログチャンネルに対してスキップが設定される。つまり、チャンネル番号３（アナログ）に対してスキップが設定される。スキップの設定に対応して、図１に示すチャンネルリスト画面は、図２に示すチャンネルリスト画面へ更新される。つまり、ＯＳＤ信号生成モジュール６１が、図１に示すチャンネルリスト画面を図２に示すチャンネルリスト画面へ更新するための、表示情報を生成し出力する。
【００４６】
この後、ユーザがリモートコントローラ１７のチャンネルアップ／ダウンキー１７ｃを介して選局操作を実行すると、チャンネル番号１（アナログ）、３（デジタル）、５（デジタル）、６（デジタル）、８（アナログ）、９（アナログ）が降順又は昇順に選局される。即ち、チャンネル番号３（アナログ）がスキップされる。これにより、上記したような煩わしさは解消される。
【００４７】
なお、図１に示すチャンネルリスト画面を図２に示すチャンネルリスト画面へ更新する前に、図４に示すチャンネルスキャン開始同意画面を表示し、ユーザにチャンネルスキャン開始の同意を求めるようにしてもよい。チャンネルスキャン開始が同意されると、図６に示すようなスキップ設定同意画面を表示し、ユーザにスキップ設定の同意を求めるようにしてもよい。スキップ設定が同意されると、図５に示すチャンネルスキャン実行中画面が表示され、チャンネルスキップの設定が完了する。
【００４８】
続いて、図８〜図１０を参照してスキップ設定の別の例について説明する。
【００４９】
制御モジュール６５は、スキップキー１７ｈの選択に基づき、例えば、図８に示す第１のチャンネルリスト画面の表示を制御し、ＯＳＤ信号生成モジュール６１が、上記したチャンネルマップ等に基づき、第１のチャンネルリスト画面を表示するための第１の表示情報を生成し出力する。これにより、映像表示器１４には、第１のチャンネルリスト画面が表示される。なお、本実施形態では、スキップキー１７ｈの選択により第１のチャンネルリスト画面が表示されるケースについて説明するが、リモートコントローラ１７がメニューキー又はチャンネルリスト表示キーを備え、メニューキー又はチャンネルリスト表示キーの選択により第１のチャンネルリスト画面を表示するようにしてもよい。
【００５０】
第１のチャンネルリスト画面が表示された状態で、方向キー１７ｆによりＳｋｉｐ＿ＡＴＶの項目が選択され、さらに決定キー１７ｇが選択されると、或いは、Ｓｋｉｐ＿ＡＴＶの項目が選択された状態でスキップキー１７ｈが選択されると、制御モジュール６５は、第１のスキップ処理を実行する。
【００５１】
第１のスキップ処理により、デジタルチャンネルと同じ内容のアナログチャンネルに対してスキップが設定される。つまり、チャンネル番号５のアナログ放送（ＴＶ放送Ａ１）とチャンネル番号１２のアナログ放送（ＴＶ放送Ｃ１）に対してスキップが設定される。スキップの設定に対応して、図８に示す第１のチャンネルリスト画面は、図９に示す第２のチャンネルリスト画面へ更新される。つまり、ＯＳＤ信号生成モジュール６１が、第１のチャンネルリスト画面を第２のチャンネルリスト画面へ更新するための、第２の表示情報を生成し出力する。
【００５２】
この後、ユーザがリモートコントローラ１７のチャンネルアップ／ダウンキー１７ｃを介して選局操作を実行すると、チャンネル番号５．１のデジタル放送（ＴＶ放送Ａ１）、チャンネル番号５．２のデジタル放送（ＴＶ放送Ａ２）、チャンネル番号７のアナログ放送（ＴＶ放送Ｂ１）、チャンネル番号１２．１のデジタル放送（ＴＶ放送Ｃ１）、チャンネル番号１３．１のデジタル放送（ＴＶ放送Ｄ１）、チャンネル番号１３．２のデジタル放送（ＴＶ放送Ｄ２）が降順又は昇順に選局される。即ち、チャンネル番号５のアナログ放送（ＴＶ放送Ａ１）とチャンネル番号１２のアナログ放送（ＴＶ放送Ｃ１）がスキップされる。これにより、上記したような煩わしさは解消される。
【００５３】
或いは、第１のチャンネルリスト画面が表示された状態で、方向キー１７ｆによりＳｋｉｐ＿ＡＴＶ／ＤＴＶの項目が選択され、さらに決定キー１７ｇが選択されると、或いは、Ｓｋｉｐ＿ＡＴＶ／ＤＴＶの項目が選択された状態でスキップキー１７ｈが選択されると、制御モジュール６５は、第２のスキップ処理を実行する。
【００５４】
第２のスキップ処理により、デジタルチャンネルと同じ内容のアナログチャンネルに対してスキップが設定され、さらに、サブデジタルチャンネルに対してもスキップが設定される。チャンネル番号５．１がメインデジタルチャンネルで、チャンネル番号５．２がサブデジタルチャンネルであり、チャンネル番号１３．１がメインデジタルチャンネルで、チャンネル番号１３．２がサブデジタルチャンネルである。第２のスキップ処理により、チャンネル番号５のアナログ放送（ＴＶ放送Ａ１）とチャンネル番号１２のアナログ放送（ＴＶ放送Ｃ１）に対してスキップが設定され、さらにチャンネル番号５．２のデジタル放送（ＴＶ放送Ａ２）とチャンネル番号１３．２のデジタル放送（ＴＶ放送Ｄ２）に対してスキップが設定される。また、スキップの設定に対応して、図８に示す第１のチャンネルリスト画面は、図１０に示す第３のチャンネルリスト画面へ更新される。つまり、ＯＳＤ信号生成モジュール６１が、第１のチャンネルリスト画面を第３のチャンネルリスト画面へ更新するための、第３の表示情報を生成し出力する。
【００５５】
この後、ユーザがリモートコントローラ１７のチャンネルアップ／ダウンキー１７ｃを介して選局操作を実行すると、チャンネル番号５．１のデジタル放送（ＴＶ放送Ａ１）、チャンネル番号７のアナログ放送（ＴＶ放送Ｂ１）、チャンネル番号１２．１のデジタル放送（ＴＶ放送Ｃ１）、チャンネル番号１３．１のデジタル放送（ＴＶ放送Ｄ１）が降順又は昇順に選局される。即ち、チャンネル番号５のアナログ放送（ＴＶ放送Ａ１）とチャンネル番号１２のアナログ放送（ＴＶ放送Ｃ１）がスキップされ、さらにチャンネル番号５．２のデジタル放送（ＴＶ放送Ａ２）とチャンネル番号１３．２のデジタル放送（ＴＶ放送Ｄ２）がスキップされる。これにより、一つの放送局が、メインデジタルチャンネルとサブデジタルチャンネルを放送している場合に、サブデジタルチャンネルをスキップすることができる。しかもそのスキップ設定は簡単である。
【００５６】
以上により、サイマルキャストのアナログチャンネルに対して簡単にスキップを設定することができ、アナログ放送及びデジタル放送により提供される同一内容のアナログチャンネルとデジタルチャンネルとが重複して選択されてしまう状態を解消することができる。しかも、図８に示すような第１のチャンネルリスト画面を介して一括でスキップを設定することができ、スキップ設定の操作性に優れる。また、図９又は図１０に示すような第２又は第３のチャンネルリスト画面を介してスキップ設定状態を確認することもできる。
【００５７】
また、上記したスキップ設定に基づき、ＯＳＤ信号生成モジュール６１がＥＰＧ（電子番組ガイド）を生成することもできる。例えば、図１に示すようなスキップ未設定の状態では、チャンネル番号１（アナログ）、３（アナログ）、３（デジタル）、５（デジタル）、６（デジタル）、８（アナログ）、９（アナログ）を含むＥＰＧが生成される。これに対して、図２に示すようなスキップ設定状態では、チャンネル番号１（アナログ）、３（デジタル）、５（デジタル）、６（デジタル）、８（アナログ）、９（アナログ）を含むＥＰＧが生成される。つまり、チャンネル番号３（アナログ）を含まないＥＰＧを生成することができる。
【００５８】
同様に、図８に示すようなスキップ未設定の状態では、チャンネル番号５のアナログ放送（ＴＶ放送Ａ１）、チャンネル番号５．１のデジタル放送（ＴＶ放送Ａ１）、チャンネル番号５．２のデジタル放送（ＴＶ放送Ａ２）、チャンネル番号７のアナログ放送（ＴＶ放送Ｂ１）、チャンネル番号１２のアナログ放送（ＴＶ放送Ｃ１）、チャンネル番号１２．１のデジタル放送（ＴＶ放送Ｃ１）、チャンネル番号１３．１のデジタル放送（ＴＶ放送Ｄ１）、チャンネル番号１３．２のデジタル放送（ＴＶ放送Ｄ２）を含むＥＰＧが生成される。これに対して、図９に示すようなスキップ設定状態では、チャンネル番号５．１のデジタル放送（ＴＶ放送Ａ１）、チャンネル番号５．２のデジタル放送（ＴＶ放送Ａ２）、チャンネル番号７のアナログ放送（ＴＶ放送Ｂ１）、チャンネル番号１２．１のデジタル放送（ＴＶ放送Ｃ１）、チャンネル番号１３．１のデジタル放送（ＴＶ放送Ｄ１）、チャンネル番号１３．２のデジタル放送（ＴＶ放送Ｄ２）を含むＥＰＧが生成される。つまり、チャンネル番号５のアナログ放送（ＴＶ放送Ａ１）、チャンネル番号１２のアナログ放送（ＴＶ放送Ｃ１）を含まないＥＰＧを生成することができる。
【００５９】
また、図１０に示すようなスキップ設定状態では、チャンネル番号５．１のデジタル放送（ＴＶ放送Ａ１）、チャンネル番号７のアナログ放送（ＴＶ放送Ｂ１）、チャンネル番号１２．１のデジタル放送（ＴＶ放送Ｃ１）、チャンネル番号１３．１のデジタル放送（ＴＶ放送Ｄ１）を含むＥＰＧが生成される。つまり、チャンネル番号５のアナログ放送（ＴＶ放送Ａ１）、チャンネル番号５．２のデジタル放送（ＴＶ放送Ａ２）、チャンネル番号１２のアナログ放送（ＴＶ放送Ｃ１）、チャンネル番号１３．２のデジタル放送（ＴＶ放送Ｄ２）を含まないＥＰＧを生成することができる。このように、スキップ設定によりＥＰＧも分かり易くなる。
【００６０】
なお、上記したモジュールとは、ハードウェアで実現するものであっても良いし、ＣＰＵ等を使ってソフトウェアで実現するものであってもよい。
【００６１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６２】
１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、４７…アンテナ、４８…入力端子、４９…チューナ、５０…ＰＳＫ復調モジュール、５１…信号処理部、５２…アンテナ、５３…入力端子、５４…チューナ、５５…ＯＦＤＭ復調モジュール、５７…アナログ復調モジュール、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
2011035838.tif 000003
【図２】
2011035838.tif 000004
【図３】
2011035838.tif 000005
【図４】
2011035838.tif 000006
【図５】
2011035838.tif 000007
【図６】
2011035838.tif 000008
【図７】
2011035838.tif 000009
【図８】
2011035838.tif 000010
【図９】
2011035838.tif 000011
【図１０】
2011035838.tif 000012